(57)【要約】  【課題】  ハンガーを使用して洗濯物を干す際に洗濯バサミを不要とするとともに、直接洗濯物を掛けることができる物干し竿を提供することを課題とする。  【解決手段】  開口面を互いに対面させて直線上に並ぶ、複数のリング体と、  前記複数のリング体の内側において、各リング体を並んだ状態に保持固定する連結部材とで物干し竿の外形を形成することで、洗濯物を掛けたハンガーのフックをリング体の間もしくはリング体の内側に引っ掛けることでハンガーの長手方向の移動を拘束し、また、長手方向には細かな凹凸ができるのみで洗濯物を掛けるのに支障があるような大きな突起は存在しないようにすることができる。【選択図】  図１
2006239023.tif 000002
【特許請求の範囲】
【請求項１】
開口面を互いに対面させて直線上に並ぶ、複数のリング体と、
前記複数のリング体の内側において、各リング体を並んだ状態に保持固定する連結部材と
を有する物干し竿。
【請求項２】
前記リングは円形もしくは楕円形である請求項１に記載の物干し竿。
【請求項３】
前記連結部材は真直ぐな棒体である請求項１又は２に記載の物干し竿。
【請求項４】
前記連結部材は中間位置において分離するものであって、分離した互いの対向する端部同士が着脱可能に係合する請求項３に記載の物干し竿。
【請求項５】
長尺の直線状のコイル体と、前記コイル体の内側において前記コイル体を直線状に保持するように固定する支持棒とを有する物干し竿。
【発明の詳細な説明】
【技術分野】
【０００１】
本発明は物干し竿に関し、特にハンガーを用いて洗濯物を干すことに好適な物干し竿に関する。
【背景技術】
【０００２】
従来、洗濯物はハンガーに掛けて物干し竿に干す場合、物干し竿の長手方向に拘束力が無いために、そのままだと風によって一方にハンガーごと吹き寄せられる。これを防ぐには物干し竿を挟むことができる洗濯バサミでハンガーのフックを固定したり、物干し竿にハンガーを固定する突起を取り付け、ハンガーのフックを突起の間に挟むことで固定するといった方法が採られてきた。
【発明の開示】
【発明が解決しようとする課題】
【０００３】
しかし、ハンガーを使用する場合に洗濯バサミで固定すると、干す際と取り込む際の作業煩雑になり、また、多くのハンガーを使用すると作業時間もそれだけかかってしまうことになる。また、物干し竿にハンガーを固定するための部材を設ける場合は、作業の煩雑さを解消することができるが、ハンガーを使用しないで洗濯物を直接物干し竿に掛ける場合にはこの突起が邪魔になってしまう。
本発明は、これらのことに鑑み、ハンガーを使用して洗濯物を干す際に洗濯バサミを不要とするとともに、直接洗濯物を掛けることができる物干し竿を提供することを課題とする。
【課題を解決するための手段】
【０００４】
上記課題を解決するために、本発明は次のような構成を有する。
請求項１に記載の発明は、開口面を互いに対面させて直線上に並ぶ、複数のリング体と、  前記複数のリング体の内側において、各リング体を並んだ状態に保持固定する連結部材とを有する物干し竿である。
請求項２に記載の発明は、前記物干し竿において、前記リングは円形もしくは楕円形である請求項１に記載の物干し竿である。
請求項３に記載の発明は、前記連結部材は真直ぐな棒体としたものである。なお、棒体にはパイプが含まれる。
請求項４に記載の発明は、請求項３に記載の物干し竿において、前記連結部材は中間位置において分離するものであって、分離した互いの対向する端部同士が着脱可能に係合するものである。
請求項５に記載の発明は、長尺の直線状のコイル体と、前記コイル体の内側において前記コイル体を直線状に保持するように固定する支持棒とを有する物干し竿である。
【発明の効果】
【０００５】
請求項１に記載の発明は、複数のリング体が並ぶことで物干し竿の外形を形成するものであり、洗濯物を掛けたハンガーのフックをリング体の間もしくはリング体の内側に引っ掛けることでハンガーの長手方向の移動を拘束でき、また、長手方向には細かな凹凸ができるのみで洗濯物を掛けるのに支障があるような大きな突起は存在しないので、洗濯物を直接掛けることもできる。
請求項２に記載の発明は、リング体を円形もしくは楕円形とすることで洗濯物を直接掛けた場合に洗濯物にかかる力が集中せず洗濯物が傷むことを抑制することができる。
請求項３に記載の発明は、連結部材を真直ぐな棒体とすることで製造を容易にすることができるとともに、連結部材にハンガーをより掛けやすくすることができる。
請求項４に記載の発明は、棒体である連結部材の中間位置が着脱可能になっていることにより、収納や運搬に際して分離して小さくすることができる。
請求項５に記載の発明は、請求項１に記載の発明と同様に、洗濯物を掛けたハンガーのフックをコイル体を構成する輪の間もしくはコイル体を構成する輪の内側に引っ掛けることでハンガーの長手方向の移動を拘束でき、また、長手方向には細かな凹凸ができるのみで洗濯物を掛けるのに支障があるような大きな突起は存在しないので、洗濯物を直接掛けることもできる。
【発明を実施するための最良の形態】
【０００６】
以下、本発明の実施形態について、図面を参照しながら説明する。
図１に本実施形態に係る物干し竿Ｘの斜視図を示し、図２（ａ）に物干し竿Ｘの継ぎ手部分の拡大縦断面図を示す。本物干し竿Ｘは複数のステンレス製の円形のリング１０と、各リング１０を固定する連結部材となる２本の支持棒２０とから構成される。
複数のリング１０は開口面を互いに対向させて直線上に並んでいる。ここではリングの外径は３ｃｍ、内径は２．５ｃｍ、リング間の距離は１ｃｍに設定しているが、この大きさの関係は適宜変更してもよい。支持棒２０は、ステンレス製の長尺のパイプ体であり、後述するように２分割できるようになっている。連結した際の長さはここでは４ｍに設定しているが、この長さも適宜変更することができる。支持棒は各リングが並んだ状態で保持されるように、各リング１０の内側を溶接固定しており、２本の支持棒２０は平行かつリング内径の直径上に位置するように設けられる。支持棒２０のちょうど真ん中は、図２（ａ）に示すように継ぎ手２１が形成されている。図２（ｂ）に継ぎ手２１を離した状態を表す拡大縦断面図を示す。継ぎ手２１は、パイプ内にピン２１ｂにより固定される棒体よりなる支持棒２０の内側に嵌合する外径を有する係合棒２１ａによって形成される。この係合棒２１ａは図に示すように、継ぎ手部分で対向する２本の支持棒２０の先端に互い違いに１つずつ設けられており、対向するパイプ内に嵌入することで分離した物干し竿Ｘを連結固定するようになっている。
【０００７】
次に、以上のような構成を有する物干し竿Ｘの使用方法について説明する。使用者は、継ぎ手２１を連結させて一本の物干し竿として、物干し台などに掛け渡す。そして、洗濯物を物干し竿Ｘに干すわけであるが、この際、ハンガーに掛けた洗濯物を干す場合は、ハンガーのフックをリング１０の間の支持棒２０に掛けるか、リング１０の内側に掛ける。このようにすることで、ハンガーはリング１０により横にずれることがないので洗濯物を干したハンガーが風などで物干し竿の片側へ吹き寄せられることがない。また、不要な突起などはないので、洗濯物を直接掛けることもできる。
【０００８】
なお、上記実施の形態においては、複数のリング１０を用いているが、これを図３に示す物干し竿Ｙのように、複数のリング体１０を長尺のコイル体５０として、これを支持棒２０により形状を保持するために固定してもよい。なお、この際、分割できるようにするにはコイル体５０を継ぎ手位置で切断しておけば足りる。このようにリング１０をコイル体５０としても、ハンガーのフックが横ずれしないように固定することができ、また、直接洗濯物を掛けることもできる。
【図面の簡単な説明】
【０００９】
【図１】実施形態に係る物干し竿を示す斜視図である。
【図２】（ａ）は実施形態に係る物干し竿の継ぎ手部分を示す拡大縦断面図であり、（ｂ）は（ａ）において継ぎ手部分を分離した状態を示す拡大縦断面図である。
【図３】実施形態に係る物干し竿の変形例を示す斜視図である。
【符号の説明】
【００１０】
Ｘ、Ｙ  物干し竿
１０    リング
２０    支持棒
２１    継ぎ手
５０    コイル体
【図１】
2006239023.tif 000003
【図２】
2006239023.tif 000004
【図３】
2006239023.tif 000005